(57)【要約】【課題】  本発明は、電線・ケーブルなどの長尺な被固定対象物を固定するための固定構造に係り、特に固定用のボルトの弛みを防止構造を提供するものである。【解決手段】  かゝる本発明は、被固定対象物１００が通されるクランプパイプ１０と、このクランプパイプ１０の肉厚部の半径方向に穿設された雌ネジ穴１１と、この雌ネジ穴１１に装着されるボルト２０とを有してなり、雌ネジ穴１１の内壁面の一部に当該穴の軸方向に延びる切欠き部１１を設け、ボルト２０の軸部が雌ネジ穴１１の切欠き部１１ａへ食い込むようにしたボルトの弛み止め構造にあり、この簡単な構造からなる食い込作用により、ボルト２０の弛み止めが行われる。【選択図】  図１
2010001958.tif 000002
【特許請求の範囲】
【請求項１】
被固定対象物が通されるクランプパイプと、前記クランプパイプの肉厚部の半径方向に穿設された雌ネジ穴と、前記雌ネジ穴に装着されるボルトとを有してなり、前記雌ネジ穴の内壁面の一部に当該穴の軸方向に延びる切欠き部を設け、前記ボルトの軸部が前記雌ネジ穴の切欠き部へ食い込むようにしたことを特徴とするボルトの弛み止め構造。
【請求項２】
被固定対象物が通されるクランプパイプと、前記クランプパイプの肉厚部の半径方向に穿設された雌ネジ穴と、前記雌ネジ穴に装着されるボルトとを有してなり、前記ボルトの外壁面の一部に当該ボルトの軸方向に延びる切欠き部を設け、前記ボルトの切欠き部へ前記雌ネジ穴の内壁面が食い込むようにしたことを特徴とするボルトの弛み止め構造。
【請求項３】
被固定対象物が通されるクランプパイプと、前記クランプパイプの肉厚部の半径方向に穿設された雌ネジ穴と、前記雌ネジ穴に装着されるボルトとを有してなり、前記雌ネジ穴の内壁面の一部に当該穴の軸方向に延びる切欠き部を設けると共に、前記ボルトの外壁面の一部に当該ボルトの軸方向に延びる切欠き部を設け、前記ボルトの軸部が前記雌ネジ穴の切欠き部へ食い込むと共に、前記ボルトの切欠き部へ前記雌ネジ穴の内壁面が食い込むようにしたことを特徴とするボルトの弛み止め構造。
【請求項４】
前記クランプパイプの少なくとも雌ネジ穴付近の材質の硬度と、前記ボルトの材質の硬度を相違させたことを特徴とする請求項１、２又は３記載のボルトの弛み止め構造。
【請求項５】
前記クランプパイプの少なくとも雌ネジ穴付近の材質の硬度を、前記ボルトの材質の硬度より、大きくしたことを特徴とする請求項４記載のボルトの弛み止め構造。
【発明の詳細な説明】
【技術分野】
【０００１】
本発明は、電線・ケーブルなどの長尺な被固定対象物を固定するための固定構造に係り、特に固定用のボルトの弛みを防止構造に関する。
【背景技術】
【０００２】
電線・ケーブルなどの長尺なものの場合、その固定の仕方によっては、例えば図８に示すように、筒体からなるクランプパイプ１内に電線・ケーブルなどの被固定対象物１００を通し、これを、固定用のボルト（ネジ）２で固定する場合がある。
このとき、ボルトとして種々のものを用いることが可能であるが、クランプパイプ１の外表面にボルトの頭部などが出ないように面一とするには、図示のような頭部のない頭なしボルト２を用いるとよい。この場合は、クランプパイプ１側に単なる雌ネジ穴１ａを設けるだけで、クランプパイプ１の外表面と面一なボルト２の装着が得られる。
勿論、雌ネジ穴側にボルト頭部を収納する頭部収納部（円盤型のスペースなど）を設ければ、頭部付きのボルトでもクランプパイプ１の外表面と面一な装着が得られる。
【発明の開示】
【発明が解決しようとする課題】
【０００３】
ところが、頭なしや頭部付きのいずれの型のボルトを用いるにしても、経時的なボルトの弛みが問題となる。このため、従来から、ボルトの頭部に弛み止め機構を付設したボルト（特許文献１）が提案されているが、その構造が複雑で、ボルト自体のコスト上昇が避けられないという問題がある。勿論、頭なしボルトの場合には、このような頭部に弛み止め機構を付けるものは、使用できないという問題もある。
【特許文献１】特開平０８−０８２３１６号
【０００４】
そこで、本発明者は、クランプパイプ１の雌ネジ穴１ａ、又は使用するボルト自体に着目し、これら両者の少なくともいずれかに、即ち、雌ネジ穴の軸方向、或いはボルトの軸方向にスリット状の切欠き部を設けて、両者を固着させたところ、いずれかの切欠き部に相手方の部材が食い込み、この食い込み作用により、結果として、ボルトの弛み止め防止機能が得られることを見出した。
【０００５】
本発明は、この点に鑑みてなされたものであり、クランプパイプの雌ネジ穴にボルトを装着するにおいて、ボルトの弛みを防止するようにしたボルトの弛み止め構造を提供するものである。
【課題を解決するための手段】
【０００６】
請求項１記載の本発明は、被固定対象物が通されるクランプパイプと、前記クランプパイプの肉厚部の半径方向に穿設された雌ネジ穴と、前記雌ネジ穴に装着されるボルトとを有してなり、前記雌ネジ穴の内壁面の一部に当該穴の軸方向に延びる切欠き部を設け、前記ボルトの軸部が前記雌ネジ穴の切欠き部へ食い込むようにしたことを特徴とするボルトの弛み止め構造にある。
【０００７】
請求項２記載の本発明は、被固定対象物が通されるクランプパイプと、前記クランプパイプの肉厚部の半径方向に穿設された雌ネジ穴と、前記雌ネジ穴に装着されるボルトとを有してなり、前記ボルトの外壁面の一部に当該ボルトの軸方向に延びる切欠き部を設け、前記ボルトの切欠き部へ前記雌ネジ穴の内壁面が食い込むようにしたことを特徴とするボルトの弛み止め構造にある。
【０００８】
請求項３記載の本発明は、被固定対象物が通されるクランプパイプと、前記クランプパイプの肉厚部の半径方向に穿設された雌ネジ穴と、前記雌ネジ穴に装着されるボルトとを有してなり、前記雌ネジ穴の内壁面の一部に当該穴の軸方向に延びる切欠き部を設けると共に、前記ボルトの外壁面の一部に当該ボルトの軸方向に延びる切欠き部を設け、前記ボルトの軸部が前記雌ネジ穴の切欠き部へ食い込むと共に、前記ボルトの切欠き部へ前記雌ネジ穴の内壁面が食い込むようにしたことを特徴とするボルトの弛み止め構造にある。
【０００９】
請求項４記載の本発明は、前記クランプパイプの少なくとも雌ネジ穴付近の材質の硬度と、前記ボルトの材質の硬度を相違させたことを特徴とする請求項１、２又は３記載のボルトの弛み止め構造にある。
【００１０】
請求項５記載の本発明は、前記クランプパイプの少なくとも雌ネジ穴付近の材質の硬度を、前記ボルトの材質の硬度より、大きくしたことを特徴とする請求項４記載のボルトの弛み止め構造にある。
【発明の効果】
【００１１】
本発明のボルトの弛み止め構造によると、クランプパイプの雌ネジ穴にボルトを装着するにおいて、雌ネジ穴の軸方向、或いはボルトの軸方向にスリット状の切欠き部を設けて、さらには、これらの両者に切欠き部を設けて、これら両者を固着させるものであるため、いずれかの切欠き部に相手方の部材が食い込み、この食い込み作用により、良好なボルトの弛み止め効果が得られる。
このとき、クランプパイプの少なくとも雌ネジ穴付近の材質の硬度と、ボルトの材質の硬度を相違させておけば、硬度の低い材質側の部材が、硬度の高い材質側の部材に食い込み易くなるため、より良い弛み止め効果が期待できる。
【発明を実施するための最良の形態】
【００１２】
図１〜図３は、本発明に係るボルトの弛み止め構造の一例を示したものである。
図中、１０は例えば、電線・ケーブルなどの長尺な被固定対象物１００が通される筒状のクランプパイプ、１１はクランプパイプ１０の肉厚部の半径方向に穿設された雌ネジ穴、２０はクランプパイプ１０の雌ネジ穴１１に装着されるボルト（頭なしボルト、ネジも可）、２１はボルト２０の装着用の係合部である。なお、図示の係合部２１はマイナスドライバーが係合されるマイナス型であるが、本発明はこれに限定されない。プラスドライバーが係合されるプラス型や、六角レンチなどが係合される角穴型などの係合部であってもよい。
【００１３】
上記クランプパイプ１０の雌ネジ穴１１には、特に図３から明らかなように、その内壁面の一部に当該穴の軸方向に延びるスリット状の切欠き部１１ａが設けてある。
この切欠き部１１ａの幅は、特に限定されないが、少なくともボルト２０側のネジ山（図示省略）が、その装着時丁度食い込める幅とする。また、切欠き部１１ａの個数も、１個に限定されず、複数個とすることも可能である。さらに、雌ネジ穴１１の全長に渡って設ける場合に限らず、途中までの長さとすることもできる。さらにまた、切欠き部１１ａを穴内壁面に螺旋状に設けることも可能である。
【００１４】
このような構造から、被固定対象物１００の通されたクランプパイプ１０の雌ネジ穴１１にボルト２０を装着させれば、図２に示すように、ボルト先端が被固定対象物１００側に押圧されるため、クランプパイプ１０が固定される。
このとき、ボルト２０の軸部側には、締付力の反力が、図２中上側（クランプパイプ１０の外側）に作用するため、軸部の一部が、雌ネジ穴１１の切欠き部１１ａ部分に食い込むことになる。この食い込み作用（両者間の摩擦力の増大作用）により、結果として、ボルト２０の弛み止め効果（機能）が得られる。
なお、ボルト２０の先端部が被固定対象物１００側に押圧されるまでは、通常のボルトと同様スムーズに進む。また、ボルト２０の取り外し時には、多少大きめ力（食い込み力を解除する力）を加えて一旦回出せば、スムーズに取り外せる。
また、被固定対象物１００の固定されたクランプパイプ１０にあっては、それぞれの用途などに対応して、他の取り付け金具などを用いて、電線・ケーブル布設の目的の箇所に取り付けるものとする。さらに、クランプパイプ１０には、図示しない取付け穴などを有する突出部などの取付け部を設けておいて、これを用いて取り付けてもよい。
【００１５】
このように、雌ネジ穴１１の切欠き部１１ａとボルト２０（正確には軸部）とは、食い込み関係により、弛み止め効果が得られるため、これら両者の材質の硬度が相違することが望ましい。つまり、両者の材質硬度が同一でもかまわないが、一方の硬度が硬く（大きく）、他方の硬度が柔らかい（小さい）方が、互いに食い込み易くなって、より良好な食い込み作用が得られるからである。
例えは、クランプパイプ１０の雌ネジ穴１１付近の材質の硬度を、ボルト２０の材質の硬度より、大きく（高く）するとよい。これにより、ボルト２０の軸部の食い込みが良くなるからである。なお、ここで、雌ネジ穴１１付近としたのは、クランプパイプ１０全体の材質硬度を大きくする場合の他に、焼き入れなどで、穴付近のみの硬度を大きくする場合も含むからである。
【００１６】
上記の例では、雌ネジ穴１１側に切欠き部１１ａを設ける場合であったが、本発明はこれに限定されない。図４に示すように、ボルト２０側の軸部に設けることもできる。
このボルト２０側の切欠き部２０ａも、雌ネジ穴１１側の場合と同様、その幅は、特に限定されないが、少なくとも雌ネジ穴１１側のネジ山（図示省略）が、その装着時丁度食い込める幅とする。また、切欠き部２０ａの個数も、１個に限定されず、複数個とすることも可能である。さらに、ボルト２０の全長に渡って設ける場合に限らず、途中までの長さとすることもできる。さらにまた、切欠き部２０ａをボルト軸部外周に螺旋状に設けることも可能である。
【００１７】
このように、ボルト２０側に切欠き部２０ａを設けた場合にも、基本的には、上記したような食い込み関係が生じるため、雌ネジ穴１１側に切欠き部１１ａを設けた場合と同様の効果が得られる。このときも、上記と同様、両者の材質の硬度が相違することが望ましい。さらには、これらの両者にそれぞれ切欠き部１１ａと切欠き部２０ａを設けてもよい。この場合も、上記と同様の作用、効果が得られる。
【００１８】
上記のような、ボルト２０の装着では、雌ネジ穴１１側の切欠き部１１ａやボルト２０側の切欠き部２０ａを設けるのみであるため、シンプルな装着構造となる。また、良好な弛み止め効果から、このような場合、従来一般的に使用されている座金、ワッシャーなどの使用を省略することが可能となる。これで不品点数の削減が可能となる。
【００１９】
上述した例は、ボルト２０が頭部なしのボルトであったが、本発明はこれに限定されない。例えば図５〜図６に示すように、頭部（例えば六角や四角などの角形、円形や半球形などの頭部）を有するボルト３０（頭部付きボルト、ネジも可）であってもよい。
図５の場合は、クランプパイプ１０の雌ネジ穴１１側にスリット状の切欠き部１１ａを設けると共に、ボルト３０の頭部３１を収納するための頭部収納部（円盤型のスペースなどの収納部）１１ｂが、雌ネジ穴１１の外方側に設けてある。図６のボルト３０は、通常の頭部付きボルトであって、クランプパイプ１０の雌ネジ穴１１に装着される。
【００２０】
このとき、雌ネジ穴１１側の頭部収納部１１ｂにボルト３０の頭部３１が収納されるため、ボルト３０の突出部分はなくなり、クランプパイプ１０の外表面とほぼ面一とすることができる。なお、ボルト３０の頭部３１が突出してもかまわない場合には、クランプパイプ１０の雌ネジ穴１１側の頭部収納部１１ｂを設ける必要は特にない。
このボルト３０の装着でも、クランプパイプ１０の雌ネジ穴１１側にスリット状の切欠き部１１ａがあるため、上記図１〜図２の場合と同様の作用、効果が得られる。
【００２１】
また、上記ボルト３０は、通常頭部付きボルトであったが、図７に示すように、その軸部にスリット状の切欠き部３０ａを設けたボルトを使用することもできる。この切欠き部３０ａの態様も、上記図４の場合と同様とする。
この切欠き部３０ａ付きのボルト３０を使用すれば、上記頭なしボルトの場合と同様、クランプパイプ１０の雌ネジ穴１１側に切欠き部１１ａがない単なる雌ネジ穴でも、或いは切欠き部１１ａ付きの雌ネジ穴でも、ボルト３０の切欠き部３０ａが、雌ネジ穴１１側の内壁面に食い込み、又は、雌ネジ穴１１側の切欠き部１１ａがボルト３０の軸部に食い込むため、この食い込み作用により、上述した頭なしボルト２０の場合と同様の作用、効果が得られる。
【００２２】
なお、上記頭部付きボルト３０の場合にあっては、その材質硬度が、クランプパイプ１０の材質硬度と相違することが望ましい。つまり、両者の材質硬度が同一でもかまわないが、一方の硬度が硬く（大きく）、他方の硬度が柔らかい（小さい）方が、互いに食い込み易くなって、より良好な食い込み作用が得られるからである。
この頭部付きボルト３０の場合も、頭なしボルト２０の場合と同様の材質硬度とすればよい。例えは、クランプパイプ１０の雌ネジ穴１１付近の材質の硬度を、ボルト３０の材質の硬度より、大きく（高く）するとよい。これにより、ボルト３０の軸部の食い込みが良くなるからである。
【図面の簡単な説明】
【００２３】
【図１】本発明に係るボルトの弛み止め構造の一例を示した平面図である。
【図２】図１のボルトの弛み止め構造の部分拡大側面図である。
【図３】図１のボルトの弛み止め構造におけるクランプパイプの雌ネジ穴を示した拡大平面図である。
【図４】本発明に係るボルトの弛み止め構造の他の例に用いるボルトを示した拡大側面図である。
【図５】本発明に係るボルトの弛み止め構造の他の例に用いるボルトを示した拡大側面図である。
【図６】図５のボルトの弛み止め構造に用いるボルトの一例を示した拡大側面図である。
【図７】本発明に係るボルトの弛み止め構造の他の例に用いるボルトを示した拡大側面図である。
【図８】従来のボルトの装着構造の一部縦断側面図である。
【符号の説明】
【００２４】
１０・・・クランプパイプ、１１ａ・・・切欠き部、２０・・・ボルト、２０ａ・・・切欠き部、２１・・・ボルトの係合部、３０・・・ボルト、３０ａ・・・切欠き部、１００・・・被固定対象物
【図１】
2010001958.tif 000003
【図２】
2010001958.tif 000004
【図３】
2010001958.tif 000005
【図４】
2010001958.tif 000006
【図５】
2010001958.tif 000007
【図６】
2010001958.tif 000008
【図７】
2010001958.tif 000009
【図８】
2010001958.tif 000010